(57)【要約】【課題】家具等の引き出しの飛び出しを防止することができ、かつ簡単に解除及びリセットすることができる飛び出し防止装置を提供する。【解決手段】枠体と引き出しとの間に配置されて引き出しの飛び出しを防止するための飛び出し防止装置は、枠体と引き出しとのいずれか一方に取付けられ、一端部に第１掛止部を有するとともに他端部に第１掛止部をロック可能な位置に突出させる作用部を有してなるシーソー部材を備える第１掛止手段と、枠体と引き出しとのいずれか他方に取付けられ、引き出しが引き出す方向に移動する際にのみ第１掛止部を掛止可能な第２掛止部を有する第２掛止手段とを備えており、シーソー部材は、第１掛止部がロック可能な突出位置に突出するように付勢されている。【選択図】図１
2013081632.tif 000002
【特許請求の範囲】
【請求項１】
枠体と引き出しとの間に配置されて引き出しの飛び出しを防止するための飛び出し防止装置において、
前記枠体と前記引き出しとのいずれか一方に取付けられ、一端部に第１掛止部を有するとともに他端部に前記第１掛止部をロック可能な位置に突出させる作用部を有してなるシーソー部材を備える第１掛止手段と、前記枠体と前記引き出しとのいずれか他方に取付けられ、前記引き出しが引き出し方向に移動する際にのみ前記第１掛止部を掛止可能な第２掛止部を有する第２掛止手段とを備えており、
前記シーソー部材は、前記第１掛止部がロック可能な突出位置に突出するよう付勢されていることを特徴とする飛び出し防止装置。
【請求項２】
前記引き出しの側面において又は前記枠体の前側から手で前記シーソー部材の作用部を回動させ、ロックを解除するための操作部が設けられることを特徴とする請求項１に記載の飛び出し防止装置。
【請求項３】
前記第１掛止手段は、前記シーソー部材の前記第１掛止部を強制的に非突出位置に規制するストッパを有し、
前記シーソー部材の前記第１掛止部が非突出位置にある場合は、前記第１掛止部が前記第２掛止部に掛止しないように構成されていることを特徴とする請求項１又は２に記載の飛び出し防止装置。
【請求項４】
前記シーソー部材は、前記作用部の重心に作用する自重により前記第１掛止部が突出位置に突出するように構成されていることを特徴とする請求項１から３のいずれか１項に記載の飛び出し防止装置。
【請求項５】
前記第１掛止手段は、前記シーソー部材の前記第１掛止部が突出位置に突出するように付勢する弾性の付勢部材を備えていることを特徴とする請求項１から３のいずれか１項に記載の飛び出し防止装置。
【請求項６】
前記第２掛止手段は、前記第１掛止部に掛止する前記第２掛止部を一端部に有する回動自在のシーソー式掛止部材と、前記シーソー式掛止部材を回動させ、前記第２掛止部を第１の突出位置及び該第１の突出位置より突出した第２の突出位置に選択的に突出させる作動部材とを備え、
前記作動部材は、地震等による前記枠体の揺れが生じた場合に転動して、前記第２掛止部を前記第２の突出位置に突出させるように構成されていることを特徴とする請求項１から５のいずれか１項に記載の飛び出し防止装置。
【発明の詳細な説明】
【技術分野】
【０００１】
本発明は、家具等の引き出しの飛び出しを防止することができる飛び出し防止装置に関する。
【背景技術】
【０００２】
従来、家具の引き出しにおいて、地震発生時に引き出しが飛び出すのを防止する方法として、耐震ラッチという飛び出し防止構造を設けることが一般的であった。
【０００３】
このような飛び出し防止構造は、引き出しが飛び出すのを防止する引っ掛け部と、地震の揺れを感知することで係止部が突出する感知センサとからなる（例えば、特許文献１）。
【０００４】
特許文献１に記載した引き出し飛び出し防止構造は、引き出しの側壁上面でかつタンス本体の前方付近に陥凹部を設けており、引き出しの陥凹部より前方の引き出しの上縁と対向するタンスの天井壁にストッパを設けており、傾いた状態でストッパと係止する回動自在なシーソー部材を陥凹部内に設けており、該シーソー部材がストッパと係止しない角度にシーソー部材を常時付勢し、シーソー部材をストッパと係止可能位置まで回動させる重りを受ける受部をシーソー部材に設けており、シーソー部材を傾動させる重りを引き出しの陥凹部内に引き出しの傾きでシーソー部材の受部内へ移動可能に収容したものである。
【先行技術文献】
【特許文献】
【０００５】
【特許文献１】特開平９−２２４７６５号公報
【発明の概要】
【発明が解決しようとする課題】
【０００６】
特許文献１に記載の引き出し飛び出し防止構造は、地震で揺れたタンスから引き出しの飛び出しを防止することができる。しかし、引き出しが原因となる事故は地震によるものだけではなく、普段の生活において人為的な原因による引き出しの事故、例えば小さい子供が勝手に引き出しを開けて、引き出しが飛び出し、ケガをする等の事故が起こる可能性もあるので、上述したような引き出し飛び出し防止構造では、対応できないという問題点があった。
【０００７】
また、特許文献１に記載の引き出し飛び出し防止構造は、ロック動作した後の解除及びリセット作業が煩雑であった。
【０００８】
また、特許文献１に記載の引き出し飛び出し防止構造は、側壁がある程度の厚みを有する木製の引き出しに応用できるが、鉄製の側壁の引き出しには応用できないという欠点があった。
【０００９】
従って、本発明は従来技術の上述した問題点を解消するものであり、本発明の目的は、地震に起因するものはもちろんのこと人為的な原因による家具等の引き出しの飛び出しを防止することができる飛び出し防止装置を提供することにある。
【００１０】
本発明の他の目的は、簡単に解除及びリセットすることができる飛び出し防止装置を提供することにある。
【課題を解決するための手段】
【００１１】
本発明によれば、枠体と引き出しとの間に配置されて引き出しの飛び出しを防止するための飛び出し防止装置は、枠体と引き出しとのいずれか一方に取付けられ、一端部に第１掛止部を有するとともに他端部に第１掛止部をロック可能な位置に突出させる作用部を有してなるシーソー部材を備える第１掛止手段と、枠体と引き出しとのいずれか他方に取付けられ、引き出しが引き出し方向に移動する際にのみ第１掛止部を掛止可能な第２掛止部を有する第２掛止手段とを備えており、シーソー部材は、第１掛止部がロック可能な突出位置に突出するように付勢されている。
【００１２】
枠体と引き出しとのいずれか一方に取付けたシーソー部材は、第１掛止部がロック可能な突出位置に突出するように付勢されているため、ロック解除がなされない限り、引き出しが引き出し方向に移動した際は、第１掛止部が枠体と引き出しとのいずれか他方に設けられた第２掛止手段の第２掛止部と掛止してロックすることが可能となる。
【００１３】
引き出しの側面において又は枠体の前側から手でシーソー部材の作用部を回動させ、ロックを解除するための操作部が設けられることが好ましい。このように構成することによって、ロックを簡単に解除することが可能となる。
【００１４】
第１掛止手段は、シーソー部材の第１掛止部を強制的に非突出位置に規制するストッパを有し、シーソー部材の第１掛止部が非突出位置にある場合は、第１掛止部が第２掛止部に掛止しないように構成されていることが好ましい。このように構成することによって、引き出しが引き出し方向に移動する際に常にロックしない状態に設定することができる。
【００１５】
シーソー部材は、作用部の重心に作用する自重により第１掛止部が突出位置に突出するとなるように構成されていることが好ましい。このように、自重で第１掛止部がロック可能な突出位置に突出するように付勢することで、部品の数を少なく、構成が簡単になる。
【００１６】
第１掛止手段は、シーソー部材の第１掛止部が突出位置に突出するように付勢する弾性の付勢部材を備えていることが好ましい。このように構成することによって、付勢部材の特性に応じて付勢力を任意に設定することができる。
【００１７】
第２掛止手段は、第１掛止部に掛止する第２掛止部を一端部に有する回動自在のシーソー式掛止部材と、シーソー式掛止部材を回動させ、第２掛止部を第１の突出位置及びこの第１の突出位置より突出した第２の突出位置に選択的に突出させる作動部材とを備え、この作動部材は、地震等による枠体の揺れが生じた場合に転動して、第２掛止部を第２の突出位置に突出させるように構成されていることが好ましい。このように構成することによって、地震等による枠体の揺れが生じた場合は、ストッパの操作により第１の掛止部がロックしない状態に強制的に規制されていたとしても、引き出しの飛び出しを防止することが可能であり、かつ簡単に解除及びリセットすることができる。
【発明の効果】
【００１８】
本発明によれば、引き出しが引き出し方向に移動する際にのみ、第１掛止部が第２掛止部と掛止して引き出しをロックすることで、普段の生活において人為的な引き出し操作、例えば小さい子供が勝手に引き出しを開けて、引き出しが飛び出し、ケガをすることを防止できる。また、鉄製の側壁の引き出しにも取付けることができる。
【００１９】
さらに、引き出しの側面において又は枠体の前側から手でシーソー部材の作用部を回動させ、ロックを解除するための操作部が設けられることで、ロックを簡単に解除することができる。
【００２０】
さらにまた、第１掛止手段は、シーソー部材の第１掛止部を強制的に非突出位置に規制するストッパを有し、シーソー部材の第１掛止部が非突出位置にある場合は、第１掛止部が第２掛止部に掛止しないように構成されていることで、引き出しが引き出す方向に移動する際に、ロックする状態とロックしない状態にすることができる。
【００２１】
また、作用部の重心に作用する自重により第１掛止部が突出位置に突出するように付勢することで、部品の数を少なく、構成が簡単になる。また、弾性の付勢部材を設けることで、付勢部材の特性に応じて付勢力を任意に設定することができる。
【００２２】
さらに、地震等による枠体の揺れが生じた場合は、ストッパの操作により第１の掛止部がロックしない状態に強制的に規制されていたとしても、引き出しの飛び出しを防止することが可能であり、かつ簡単に解除及びリセットすることができる。
【図面の簡単な説明】
【００２３】
【図１】本発明の一実施形態における飛び出し防止装置の構成を概略的に示す斜視図である。
【図２】図１の実施形態における飛び出し防止装置の構成を概略的に示す分解斜視図である。
【図３】第１掛止機構のシーソー部材及び第２掛止機構のシーソー式掛止部材の回動位置を示す平面図である。
【図４】第１掛止機構のシーソー部材が可動状態にある場合において、引き出しを閉める際の飛び出し防止装置の動作状態を概略的に示す説明図である。
【図５】第１掛止機構のシーソー部材が可動状態にある場合において、引き出しが引き出す方向に移動する際の飛び出し防止装置の動作状態を概略的に示す説明図である。
【図６】第１掛止機構のシーソー部材が固定状態にある場合において、引き出しが引き出す方向に移動する際の飛び出し防止装置の状態を概略的に示す説明図である。
【図７】第１掛止機構のシーソー部材が固定状態にある場合において、揺れを感知し引き出しが引き出す方向に移動する際の飛び出し防止装置の動作状態を概略的に示す説明図である。
【図８】第１掛止機構のシーソー部材が固定状態にある場合において、ロック状態からロック解除状態にする際に飛び出し防止装置の動作状態を概略的に示す説明図である。
【発明を実施するための形態】
【００２４】
以下、本発明に係る飛び出し防止装置の実施形態を、図を参照して説明する。
【００２５】
図１及び図２は本発明の一実施形態における飛び出し防止装置１００の構成を示している。ただし、図１は、引き出し２が引き出し方向に移動する際に飛び出し防止装置１００がロックされている状態を示している。
【００２６】
図１及び図２に示すように、本実施形態における飛び出し防止装置１００は、引き出し２の側板２ａに取付けられている第１掛止機構１０（本発明の第１掛止手段に対応する）と、キャビネットの枠体１の側板１ａに取付けられている第２掛止機構２０（本発明の第２掛止手段に対応する）と備えている。この飛び出し防止装置１００は、枠体１の側板１ａと引き出し２の側板２ａとの間に配置されている。枠体１の側板１ａと引き出し２の側板２ａとの間に、スライドレール２ｂが設けており、そのため、隙間があり、飛び出し防止装置１００を装着可能な空間が存在する。本実施形態において、第１掛止機構１０は、引き出し２の側板２ａの外面に取付けられており、第２掛止機構２０は、枠体１の側板１ａの内面に取付けられている。また、第２掛止機構２０は、地震等による枠体１の揺れを感知する感知センサとしても機能する。
【００２７】
第１掛止機構１０は、シーソー部材１１と、シーソー部材１１と一体に形成された軸１２と、ストッパ１３と、ケース本体１４と、カバー１５とを備えている。
【００２８】
シーソー部材１１は、一端部に第１掛止部１１ａを有するとともに他端部に第１掛止部１１ａをロック可能な位置に突出させる作用部１１ｂを有してなる。このシーソー部材１１の中央部から先端側（第１掛止部１１ａ側）寄りの位置に下方へ突出する突部１１ｄが形成され、この突部１１ｄの両側面にそれぞれ突出する短円柱状の軸１２が設けられ、軸１２は、ケース本体１４とカバー１５の軸穴１４ｃ及び１５ａに係合している。シーソー部材１１は、これにより、軸１２を中心に回動自由に装着されている。また、第１掛止部１１ａはロック可能な突出位置方向に付勢されている。本実施形態では、例えば、作用部１１ｂの重心に作用する作用部１１ｂの自重Ｇに基づく回転モーメントによって、第１掛止部１１ａが突出位置に突出するように付勢されている。また、第１掛止部１１ａは、引き出し２が引き出し方向に移動する際に第２掛止機構２０側と掛止するための掛止面１１ａ’と、引き出し２が逆方向に移動する際に第２掛止機構２０側と掛止しないように働く傾斜面１１ａ”とを有している。シーソー部材１１の第１掛止部１１ａと軸１２との間には側面から見て凹形状の首部１１ｅが形成されており、この首部１１ｅは、平坦な上面１１ｆを有している。突部１１ｄにおける軸１２近傍の首部１１ｅ側の面１１ｄ’は、シーソー部材１１の回動に影響しないように、首部１１ｅの上面１１ｆとほぼ垂直に形成されている。
【００２９】
また、シーソー部材１１には、第１掛止部１１ａのロックを解除するための操作部１１ｃが設けられている。本実施形態において、この操作部１１ｃは、作用部１１ｂの一方の端部からなる。この操作部１１ｃは、図１及び図３に示すように、引き出し２が飛び出して第１掛止部１１ａが第２掛止機構２０にロックされている状態では、枠体１から外部へ飛び出しているため手で操作可能である。この操作部１１ｃを上方へ持ち上げ、シーソー部材１１を軸１２を中心として回動させることで、ロックが解除される。
【００３０】
ストッパ１３は、両側に端面が凹凸に形成されたつまみ１３ａを有し、このつまみ１３ａをカバー１５の長穴１５ｂに係合させてこの長孔１５ｂに沿って摺動させることにより、シーソー部材１１の第１掛止部１１ａを強制的に非突出位置に規制するように構成されている。即ち、第１掛止部１１ａの作用部１１ｂとこのスライド式のストッパ１３との働きにより、シーソー部材１１を、第１掛止部１１ａが突出した位置にある可動状態と第１掛止部１１ａが突出せず水平位置に固定された固定状態とに切り替えることができる。ストッパ１３が作動せず第１掛止部１１ａが突出位置にある場合は、引き出し２が引き出し方向に移動する際に、この第１掛止部１１ａは第２掛止機構２０の第２掛止部２１ａに掛止することが可能となる。一方、ストッパ１３が作動して第１掛止部１１ａが非突出位置にある場合は、引き出し２が引き出し方向に移動する際に、この第１掛止部１１ａは第２掛止機構２０の第２掛止部２１ａに掛止しない。なお、本実施形態において、このストッパ１３は、引き出し２の側面が枠体１の外部に現れた際にのみ操作することができる。
【００３１】
ケース本体１４は、カバー１５と協働して上述したシーソー部材１１とストッパ１３とを内部に収納している。このケース本体１４は、シーソー部材１１が当接する段差部１４ａ及び１４ａ’と、ストッパ１３がスライドするスライド空間１４ｂとを備えている。段差部１４ａはシーソー部材１１の時計回り方向の回転を制限するものであり、段差部１４ａ’ はシーソー部材１１の反時計回り方向の回転を制限するものである。ケース本体１４の側壁には、シーソー部材１１の軸１２が係合する軸穴１４ｃが設けられている。さらに、ケース本体１４の側壁には、ストッパ１３のつまみ１３ａを露出させると共に摺動させるための長穴１４ｆが設けられている。また、取付けネジ用の貫通孔１４ｄが設けられている。なお、貫通孔１４ｄの数は必要に応じて任意に決められる。スライド空間１４ｂの回りの縁部には切り込み段差１４ｅが設けられている。
【００３２】
カバー１５は、ケース本体１４の片面を覆うものであり、シーソー部材１１の軸１２が係合する軸穴１５ａと、ストッパ１３のつまみ１３ａを露出させると共に摺動させるための長穴１５ｂとが設けられている。また、取付けネジ用の貫通孔１４ｄに対応する位置に取付けネジ用の貫通孔１５ｃが設けられている。また、カバー１５の内側には、ケース本体１４の切り込み段差１４ｅに嵌入する突起（図示せず）が設けられている。なお、第１掛止機構１０は、ネジＷ１によって引き出し２の側板２ａの外面上に固着されている。
【００３３】
第２掛止機構２０は、下方の一端部に第１掛止部１１ａと掛止するための第２掛止部２１ａが形成された回動自在のシーソー式掛止部材２１と、このシーソー式掛止部材２１と一体に形成された軸２２と、揺れが生じた際にこのシーソー式掛止部材２１を、軸２２を中心にして回動させるためのころがり部材２３と、ケース本体２４と、カバー２５とを備えている。
【００３４】
シーソー式掛止部材２１は、下方の一端部に第１掛止部１１ａに掛止する第２掛止部２１ａが形成され、上方の他端部にころがり部材２３を常時は支持受けするための円弧面を有する部材受け部２１ｂが形成されている。シーソー式掛止部材２１は、さらに、第２掛止部２１ａと、ころがり部材受け部２１ｂとの間で、このころがり部材受け部２１ｂの近傍位置に、シーソー式掛止部材２１の両側面にそれぞれ突出する短円柱状の軸２２が設けられている。この軸２２は、ケース本体２４とカバー２５の軸穴２４ｃ及び２５ａに係合している。
【００３５】
シーソー式掛止部材２１の第２掛止部２１ａは、第１掛止機構１０の第１掛止部１１ａと掛止しない非掛止面２１ａ’と、第１掛止機構１０の第１掛止部１１ａと掛止するための掛止面２１ａ”とを有している。このシーソー式掛止部材２１の第２掛止部２１ａ側は、軸２２を中心とする扇型形状を有しており、この扇型形状の外周部の下端側には第２掛止部２１ａが、上端側にはストッパ部２１ｃが設けられている。ストッパ部２１ｃは下方に面する係止面２１ｃ’を有しており、この係止面２１ｃ’は、ケース本体２４の後述する開口２４ａの一方の端縁を構成する凸部２４ｅの係止面２４ｅ’に当接して第２掛止部２１ａの突出量を決めるように構成されている（図３参照）。
【００３６】
シーソー式掛止部材２１において、軸２２を基準点とする場合、第２掛止部２１ａ側の重量Ｎ１と、部材受け部２１ｂ側の重量Ｎ２及びころがり部材２３の重量Ｎ３との関係は、Ｎ１≧Ｎ２、Ｎ１＜Ｎ２＋Ｎ３とされている。
【００３７】
ころがり部材２３は、所定重量Ｎ３を有する円柱状の重りである。このころがり部材２３は、常時は、シーソー式掛止部材２１の部材受け部２１ｂ上に支持受けされており、これにより、第２掛止部２１ａは第１掛止部１１ａの突出時においてのみロック可能な第１の突出位置に突出する。揺れがあった際は、ころがり部材２３は、シーソー式掛止部材２１の上面上を転動する。即ち、ころがり部材２３は、地震等によって引き出し２に揺れが生じた際に、常時の部材受け部２１ｂの位置からシーソー式掛止部材２１の上面上を扇型形状の外周方向へ移動し、その自重によってシーソー式掛止部材２１を回動させて、第２掛止部２１ａを、第１掛止部１１ａに必ずロック可能な第２の突出位置に突出させる。
【００３８】
ケース本体２４は、シーソー式掛止部材２１の第２掛止部２１ａが突出するために下部に設けられた開口２４ａと、シーソー式掛止部材２１ところがり部材２３とを収納する収納空間２４ｂとを備えている。開口２４ａの一方の端縁には係止面２４ｅ’を下方に有する凸部２４ｅが形成されており、他方の端縁には円弧面ａ、これに続く垂直面ｂ、これに続く水平面ｃ及びこれに続く傾斜面ｄを有する凸部２４ｇが形成されている。円弧面ａはシーソー式掛止部材２１の部材受け部２１ｂと協働してころがり部材２３を支持受けしている。垂直面ｂは、シーソー式掛止部材２１の部材受け部２１ｂの端面とほぼ同じ高さを有する。水平面ｃは、シーソー式掛止部材２１の時計回り方向の回転を制限する面であり、このシーソー式掛止部材２１の部材受け部２１ｂの下面とほぼ同じ長さを有する。傾斜面ｄは、シーソー式掛止部材２１の反時計回り方向の回転時の逃げ部である。また、ケース本体２４の側壁には、軸２２が係合する軸穴２４ｃが設けられている。さらに、ケース本体２４には取付けネジ用の貫通孔２４ｄが設けられている。なお、貫通孔２４ｄの数は必要に応じて任意に決められる。収納空間２４ｂの回りの縁部の一部には、切り込み段差２４ｆが設けられている。
【００３９】
カバー２５は、ケース本体２４の片面を覆うものであり、シーソー式掛止部材２１の軸２２が係合する軸穴２５ａが設けられている。また、取付けネジ用の貫通孔２４ｄに対応する位置に取付けネジ用の貫通孔２５ｂが設けられている。また、カバー２５の内側には、ケース本体２４の切り込み段差２４ｆに嵌入する突起（図示せず）が設けられている。なお、第２掛止機構２０は、ネジＷ２によって枠体１の側板１ａの内面上に固着されている。
【００４０】
図３は第１掛止機構１０のシーソー部材１１と第２掛止機構２０のシーソー式掛止部材２１とのそれぞれ２つの回動位置（即ち、回動可能な範囲）を示している。ただし、図３においては、第１掛止機構１０のカバー１５及び第２掛止機構２０のカバー２５を外した状態で示されている。
【００４１】
図３に示すように、第１掛止機構１０のシーソー部材１１は、通常は自重によってこの位置に付勢されている突出位置（実線）から、非突出位置（２点破線）まで、軸１２の回りを回動可能である。一方、第２掛止機構２０のシーソー式掛止部材２１は、通常の位置である第１の突出位置（実線）から第２の突出位置（２点破線）まで、軸２２の回りを回動可能である。
【００４２】
シーソー式掛止部材２１が第１の突出位置（実線）にある場合に、シーソー部材１１の第１掛止部１１ａが突出位置（実線）にあると、即ち、可動状態にされると、第１掛止部１１ａと第２掛止部２１ａが掛止可能になる。掛止する際は、第１掛止部１１ａの掛止面１１ａ’と第２掛止部２１ａの掛止面２１ａ”とが互いに当接して掛止する。これにより、人為的に引き出しを引き出す操作による引き出しの飛び出しを防止することができる。一方、地震等により枠体１に揺れが生じた際は、シーソー式掛止部材２１の第２掛止部２１ａが第２の突出位置（２点破線）に突出するので、シーソー部材１１がストッパ１３によりロックされて第１掛止部１１ａが非突出位置（２点破線）に規制されていたとしても、即ち固定状態にされていたとしても、第１掛止部１１ａと第２掛止部２１ａとは掛止可能になる。地震等の揺れによる引き出しの飛び出しを防止することができる。
【００４３】
なお、シーソー部材１１が非突出位置（２点破線）に規制されている場合、即ちストッパ１３によりロックされて固定状態にされている場合は、地震等による枠体１の揺れがない限り、引き出し２は、ロックされることなく、任意に開閉可能である。
【００４４】
次に、図４〜図８を参照して、本実施形態の飛び出し防止装置１００の動作状態を具体的に説明する。ただし、これらの図は、概略図であり、第１掛止機構１０のカバー１５及び第２掛止機構２０のカバー２５を外した状態で示されている。
【００４５】
図４は第１掛止機構１０のシーソー部材１１が可動状態にある場合の、引き出し２を閉める際の飛び出し防止装置１００の動作を示している。即ち、図４においては、ストッパ１３が作動しておらず、第１掛止部１１ａを強制的に非突出位置に規制していないのでシーソー部材１１が可動状態にあり第１掛止部１１ａは自重によって付勢されて突出位置にある。図４（ａ）は引き出し２が全開状態から閉じる方向へ移動する際の飛び出し防止装置１００の状態を示しており、図４（ｂ）は引き出し２が閉められる際の飛び出し防止装置１００の状態を示しており、図４（ｃ）は引き出し２が全閉状態にある際の飛び出し防止装置１００の状態を示している。
【００４６】
図４（ａ）に示すように、シーソー部材１１の自重による付勢作用により、第１掛止部１１ａは突出位置に突出している。この状態で、引き出し２を全開位置から閉じる方向（矢印方向）へ移動させると、第１掛止部１１ａの端面及び傾斜面１１ａ”が第２掛止部２１ａの外周面である非掛止面２１ａ’に当接し、傾斜面１１ａ”が非掛止面２１ａ’上を摺動しながら進む。これにより、第１掛止部１１ａが下方へ押されるので、シーソー部材１１が時計回り方向に回動し、最終的に第１掛止部１１ａが第２掛止部２１ａの下を通過することとなる。
【００４７】
図４（ｂ）に示すように、第１掛止部１１ａが第２掛止部２１ａの下を通過し終えると、シーソー部材１１が反時計回り方向に回動し、第１掛止部１１ａは第２掛止部２１ａと掛止する位置に進む。この場合、第１掛止部１１ａの掛止面１１ａ’と、第２掛止部２１ａの掛止面２１ａ”とが互いに当接する。
【００４８】
引き出し２が全閉位置となると、図４（ｃ）に示すように、シーソー部材１１の上面が第２掛止部２１ａに押され、このシーソー部材１１は水平状態となる。なお、引き出し２が全閉位置となった際に、シーソー部材１１は自重による付勢作用で第１掛止部１１ａが突出位置に突出するようにしてもよい。
【００４９】
図５は第１掛止機構１０のシーソー部材１１が可動状態にある場合の、引き出し２を開ける際の飛び出し防止装置１００の動作状態を示している。即ち、図５においては、ストッパ１３が作動しておらず、第１掛止部１１ａを強制的に非突出位置に規制していないのでシーソー部材１１が可動状態にあり第１掛止部１１ａは自重によって付勢されて突出位置にある。図５（ａ）は引き出し２がロックされている状態を示しており、図５（ｂ）は手動で引き出し２のロックを解除する際の飛び出し防止装置１００の状態を示しており、図５（ｃ）は引き出し２が全開位置にある際の飛び出し防止装置１００の状態を示している。
【００５０】
このようにストッパ１３が作動しておらず、シーソー部材１１が可動状態にある場合は、シーソー部材１１が自重による付勢作用で回動した状態となっており、人為的な操作、例えば小さい子供が勝手に引き出し２を開けようとすると、図５（ａ）に示すように、引き出し２が引き出し方向に移動する際に、第１掛止部１１ａが第２掛止部２１ａに当接してロックされる。これにより、引き出し２の飛び出しが阻止される。
【００５１】
この状態で、引き出し２のロックを解除するには、図５（ｂ）に示すように、引き出し２の側面に又は枠体の前側から手で操作部１１ｃを上方（即ち、矢印Ａの方向）へ持ち上げ、シーソー部材１１の作用部１１ｂを回動させることで、第１掛止部１１ａが非突出位置となり、ロックが解除される。
【００５２】
この状態で、引き出し２を引き出し方向（矢印方向）にさらに移動させると、図５（ｃ）に示すように、第１掛止部１１ａが第２掛止部２１ａの下を通過し、引き出し２が全開状態になる。なお、第１掛止部１１ａが第２掛止部２１ａの下を通過した後、操作部１１ｃから手を放すと、シーソー部材１１は自重によって回動し、第１掛止部１１ａは元の突出位置に戻る。また、引き出し２が全開状態にある場合は、ストッパ１３のつまみ１３ａが枠体１の外部に露出するようになっており、引き出し２の側面からつまみ１３ａを操作し、ストッパ１３を作動した状態（第１掛止部１１ａを強制的に非突出位置に規制する状態、シーソー部材１１は固定状態）と、作動していない状態（第１掛止部１１ａを強制的に非突出位置に規制していない状態、シーソー部材１１は可動状態）とにスライドさせることができる。
【００５３】
図６は第１掛止機構１０のシーソー部材１１が固定状態にある場合の、引き出しを引き出し方向に移動する際の飛び出し防止装置１００の状態を示している。即ち、図６においては、ストッパ１３が作動しており、第１掛止部１１ａを強制的に非突出位置に規制している状態にある。図６（ａ）は引き出し２を閉めた状態を示しており、図６（ｂ）は引き出し２を開く際の飛び出し防止装置１００の状態を示している。
【００５４】
図６（ａ）に示すように、ストッパ１３を左側に摺動させて作動した状態とした場合に、シーソー部材１１は作用部１１ｂの下面がストッパ１３の上面に当接するので、水平位置に固定された状態になる。この場合は、シーソー部材１１の第１掛止部１１ａとシーソー式掛止部材２１の第２掛止部２１ａとが互いに係合せず、掛止しない状態である。
【００５５】
図６（ｂ）に示すように、引き出し２が開かれた場合も、シーソー部材１１が水平位置に固定された状態にあるので、シーソー部材１１の第１掛止部１１ａとシーソー式掛止部材２１の第２掛止部２１ａとが互いに係合せず、掛止しない状態にある。そのため、引き出し２を引き出し方向（矢印方向）に移動しても、ロックされず、通常の（飛び出し防止装置１００がない）引き出しと同様な引き出し動作が行われる。
【００５６】
図７は第１掛止機構１０のシーソー部材１１が固定状態にある場合の、地震等の揺れによって引き出し２が引き出し方向に移動する際の飛び出し防止装置１００の動作状態を示している。即ち、図７においては、ストッパ１３が作動しており、第１掛止部１１ａを強制的に非突出位置に規制している状態にある。図７（ａ）は引き出し２が閉められている際に地震等の揺れが生じた場合の飛び出し防止装置１００の状態を示しており、図７（ｂ）はこの場合に引き出し２がロックされた飛び出し防止装置１００の状態を示している。
【００５７】
図７（ａ）に示すように、ストッパ１３を左側に摺動させて作動した状態とした場合に、シーソー部材１１は作用部１１ｂの下面がストッパ１３の上面に当接するので、水平位置に固定された状態になる。この状態で地震等による枠体１の揺れが生じると、ころがり部材２３は、常時支持受けされている部材受け部２１ｂからシーソー式掛止部材２１の上面上を転動し、ストッパ部２１ｃ方向に移動する。
【００５８】
これにより、ころがり部材２３の自重によってシーソー式掛止部材２１が回動し、第２掛止部２１ａは、第１掛止部１１ａに必ずロック可能な第２の突出位置に突出する。その結果、図７（ｂ）に示すように、地震等による枠体１の揺れによって引き出し２が飛び出そうとしても、第２掛止部２１ａの掛止面２１ａ”と第１掛止部１１ａの掛止面１１ａ’とが互いに当接して掛止し、シーソー部材１１の第１掛止部１１ａはロック状態となり、引き出し２の飛び出しを阻止することができる。
【００５９】
即ち、ストッパ１３を作動することによってシーソー部材１１が水平位置に固定された状態においても、地震等による枠体１の揺れがあった場合は、飛び出し防止装置１００の耐震ラッチの機能によりロックが行われて引き出し２の飛び出しを防止することができる。
【００６０】
図８は第１掛止機構１０のシーソー部材１１が固定状態にある場合の、耐震ラッチ機能によるロック状態からロック解除状態となる際の飛び出し防止装置１００の動作状態を示している。図８（ａ）は地震等による枠体１の揺れがあった際に、引き出し２がロックされた場合の飛び出し防止装置１００の状態を示しており、図８（ｂ）は引き出し２を閉める方向に移動している場合の飛び出し防止装置１００の状態を示しており、図８（ｃ）は引き出し２が完全に閉じてロックが解除された飛び出し防止装置１００の状態を示している。
【００６１】
図８（ａ）に示すように、シーソー部材１１が水平位置に固定された状態の、地震等による枠体１の揺れがあったことによって耐震ラッチ機能により引き出し２がロックされた状態では、ころがり部材２３が部材受け部２１ｂからストッパ部２１ｃ方向に移動しており、シーソー式掛止部材２１の第２掛止部２１ａが第１掛止部１１ａと掛止し、ロック状態になっている。ただしこの場合、引き出し２は一部開いており、全閉状態ではない。
【００６２】
このような耐震ラッチ機能によるロック状態から、図８（ｂ）に示すように、引き出し２を閉める方向（矢印方向）に移動させると、第２掛止部２１ａの非掛止面２１ａ’がシーソー部材１１の斜面部に当接してその斜面部上を摺動することにより、シーソー部材１１により押し上げる。
【００６３】
この状態から、図８（ｃ）に示すように、引き出し２が全閉状態となると、第２掛止部２１ａがシーソー部材１１の上部に位置し、ころがり部材２３が元の位置（部材受け部２１ｂの位置）に戻り、第２掛止部２１ａが非突出位置になり、耐震ラッチ機能によるロックが解除される。
【００６４】
以上説明したように、本実施形態によれば、引き出し２が引き出し方向に移動する際にのみ、第１掛止部１０と第２掛止部２０とが掛止して引き出し２がロックされる。このため、普段の生活において人為的な引き出し操作、例えば小さい子供が勝手に開けることによって、引き出し２が飛び出してしまい、ケガをするなどを未然に防止することができる。また、鉄製の側板を有する引き出しであっても取付けることができる。
【００６５】
さらに、手指でシーソー部材１１の作用部１１ｂを回動させて、ロックを解除するための操作部１１ｃが設けられているので、ロックを簡単に解除することができる。
【００６６】
さらにまた、第１掛止機構１０がシーソー部材１１の第１掛止部１１ａを強制的に非突出位置に規制するストッパ１３を有しているため、このストッパ１３を作動させて引き出し２の飛び出しのロック及びロック解除を任意にかつ容易に選択することができる。
【００６７】
また、自重で第１掛止部１１ａをロック可能な突出位置に付勢されることで、部品の数を少なく、構成が簡単になる。
【００６８】
さらに、ストッパ１３を作動することによってシーソー部材１１の作動を停止させた状態においても、地震等による枠体１の揺れがあった場合は、飛び出し防止装置１００の耐震ラッチの機能によりロックが行われて引き出し２の飛び出しを防止することができる。
【００６９】
なお、上述した実施形態においては、第１掛止機構１０が引き出し２の側板２ａの外面上に取付けられ、第２掛止機構２０が枠体１の側板１ａの内面上に取付けられている構成について説明したが、本発明はこれに限定されるものではない。例えば、第１掛止機構１０を枠体１の側板１ａの内面上に取付け、第２掛止機構２０を引き出し２の側板２ａの外面上に取付けるようにしてもよい。この場合、ロックを解除する際に、枠体１の側板１ａと引き出し２の側板２ａとの間に手指を挿入し、シーソー部材１１の操作部１１ｃを操作し、シーソー部材１１を回動させる。又は操作部１１ｃを枠体１の前面から露出させ、枠体１の前面から操作部１１ｃを操作するようにしてもよい。
【００７０】
また、上述した実施形態においては、第１掛止部がロック可能な突出位置となるように自重で付勢する構成について説明したが、本発明はこれに限定されるものではない。例えば、バネ等の付勢部材を設けるようにしてもよい。この場合、付勢部材の特性に応じて付勢力を任意に設定することができる。
【００７１】
さらに、上述した実施形態においては、ころがり部材２３が円柱状のものを用いたが、本発明はこれに限定されるものではない。例えば、球状のころがり部材を用いてもよい。
【００７２】
さらにまた、上述した実施形態においては、不動状態のシーソー式掛止部材２１に対して、シーソー部材１１が回動することで、ロック可能であり、不動状態のシーソー部材１１に対してシーソー式掛止部材２１が回動することで、ロック可能であることを説明したが、勿論、シーソー部材１１とシーソー式掛止部材２１が共に回動している状態にも、ロックすることが可能である。
【００７３】
さらにまた、上述した実施形態においては、引き出し２の片側に飛び出し防止装置１００が取り付けられている例を説明したが、勿論、引き出し２の両側に取り付けるようにしてもよい。この場合、引き出し２の飛び出しをより確実に防止することができる。
【産業上の利用可能性】
【００７４】
本発明は、家具等の引き出しの、人為的な操作による飛び出し及び地震等の揺れによる飛び出しの両方を防止し、より安全性を高める目的に利用できる。
【符号の説明】
【００７５】
１  枠体
１ａ、２ａ  側板
２  引き出し
２ｂ  スライドレール
１０  第１掛止機構
１１  シーソー部材
１１ａ  第１掛止部
１１ｂ  作用部
１１ｃ  操作部
１１ｄ  突部
１２、２２  軸
１３  ストッパ
１３ａ  つまみ
１４、２４  ケース本体
１４ａ、１４ａ’  段差部
１４ｂ  スライド空間
１４ｃ、１５ａ、２４ｃ、２５ａ  軸穴
１４ｄ、１５ｃ、２４ｄ、２５ｂ  貫通孔
１４ｅ、２４ｆ  切り込み段差
１４ｆ、１５ｂ  長穴
１５、２５  カバー
２０  第２掛止機構
２１  シーソー式掛止部材
２１ａ  第２掛止部
２１ｂ  部材受け部
２１ｃ  ストッパ部
２３  ころがり部材
２４ａ  開口
２４ｂ  収納空間
２４ｅ、２４ｇ  凸部
１００  飛び出し防止装置
Ｗ１、Ｗ２  ネジ
【図１】
2013081632.tif 000003
【図２】
2013081632.tif 000004
【図３】
2013081632.tif 000005
【図４】
2013081632.tif 000006
【図５】
2013081632.tif 000007
【図６】
2013081632.tif 000008
【図７】
2013081632.tif 000009
【図８】
2013081632.tif 000010
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
枠体と引き出しとの間に配置されて引き出しの飛び出しを防止するための飛び出し防止装置において、
前記枠体と前記引き出しとのいずれか一方に取付けられ、一端部に第１掛止部を有するとともに他端部に前記第１掛止部をロック可能な位置に突出させる作用部を有してなるシーソー部材を備える第１掛止手段と、前記枠体と前記引き出しとのいずれか他方に取付けられ、前記引き出しが引き出し方向に移動する際にのみ前記第１掛止部を掛止可能な第２掛止部を有する第２掛止手段とを備えており、
前記シーソー部材は、前記第１掛止部がロック可能な突出位置に突出するよう付勢されており、
前記第２掛止手段は、前記第１掛止部に掛止する前記第２掛止部を一端部に有する回動自在のシーソー式掛止部材と、前記シーソー式掛止部材を回動させ、前記第２掛止部を第１の突出位置及び該第１の突出位置より突出した第２の突出位置に選択的に突出させる作動部材とを備え、
前記作動部材は、地震等による前記枠体の揺れが生じた場合に転動して、前記第２掛止部を前記第２の突出位置に突出させるように構成されていることを特徴とする飛び出し防止装置。
【請求項２】
前記引き出しの側面において又は前記枠体の前側から手で前記シーソー部材の作用部を回動させ、ロックを解除するための操作部が設けられることを特徴とする請求項１に記載の飛び出し防止装置。
【請求項３】
前記第１掛止手段は、前記シーソー部材の前記第１掛止部を強制的に非突出位置に規制するストッパを有し、
前記シーソー部材の前記第１掛止部が非突出位置にある場合は、前記第１掛止部が前記第１の突出位置にある前記第２掛止部に掛止しないように構成されていることを特徴とする請求項１又は２に記載の飛び出し防止装置。
【請求項４】
前記シーソー部材は、前記作用部の重心に作用する自重により前記第１掛止部が突出位置に突出するように構成されていることを特徴とする請求項１から３のいずれか１項に記載の飛び出し防止装置。
【請求項５】
前記第１掛止手段は、前記シーソー部材の前記第１掛止部が突出位置に突出するように付勢する弾性の付勢部材を備えていることを特徴とする請求項１から３のいずれか１項に記載の飛び出し防止装置。